(57)【要約】【課題】ツールブロックによって切刃の刃先の高さを調整する。【解決手段】下顎部２Ａが形成されたブロック本体１と、下顎部２Ａの上面２ａに下面３ａが対向する上顎部３Ａが形成されてブロック本体１にネジ止めされる上顎部材３とを備え、下顎部２Ａの上面２ａと上顎部３Ａの下面３ａとの間に形成されるバイト取付座５に板状のバイトを挟み込んで固定して工作機械の刃物台に取り付けられるツールブロックであって、下顎部２Ａの上面２ａと上顎部３Ａの下面３ａとの間にはバイト取付座５の底面５ａが設けられ、ブロック本体１は、さらに調整ネジ６によってネジ止めされる複数のブロック部材１、７によって形成され、調整ネジ６のねじ込み量によってバイトの切刃の刃先高さが調整可能とされている。【選択図】図５
2020104225.tif 000002
【特許請求の範囲】
【請求項１】
下顎部が形成されたブロック本体と、上記下顎部の上面に下面が対向する上顎部が形成されて上記ブロック本体にネジ止めされる上顎部材とを備え、上記下顎部の上面と上記上顎部の下面との間に形成されるバイト取付座に板状のバイトを挟み込んで固定して工作機械の刃物台に取り付けられるツールブロックであって、
上記下顎部の上面と上記上顎部の下面との間には上記バイト取付座の底面が設けられ、
上記ブロック本体は、さらに調整ネジによってネジ止めされる複数のブロック部材によって形成され、上記調整ネジのねじ込み量によって上記バイトの切刃の刃先高さが調整可能とされていることを特徴とするツールブロック。
【請求項２】
上記複数のブロック部材は、上記ブロック本体と、上記バイト取付座の底面に沿って配設されて上記バイトの側面が当接可能な板状の調整部材とを含み、
上記下顎部の上面と上記上顎部の下面とは上記バイト取付座の底面から離れるに従い互いに近づく傾斜面状とされ、
上記ブロック本体と上記調整部材には、ネジの捩れの向きとリードとの少なくとも一方が互いに異なる雌ネジ孔が上記バイト取付座の底面に交差する方向に形成されていて、
上記調整ネジは、上記雌ネジ孔にねじ込み可能な雄ネジ部を両端部に備えていることを特徴とする請求項１に記載のツールブロック。
【請求項３】
上記複数のブロック部材は、上記下顎部が形成された下顎部材と、上記バイト取付座の底面が形成された上記ブロック本体とを含み、
上記調整ネジは、上記下顎部材に挿通されて上記ブロック本体にねじ込み可能とされていることを特徴とする請求項１または請求項２に記載のツールブロック。
【請求項４】
上記複数のブロック部材は、上記下顎部と上記バイト取付座の底面とが形成されたバイト取付部材と、工作機械の刃物台に取り付けられる刃物台取付部材とを含み、
上記バイト取付部材と上記刃物台取付部材には、上記バイト取付座の底面から離れて刃物台取付部側に向かうに従い上記上顎部側または上記下顎部側に傾斜する互いに摺接可能な傾斜摺接面と、これらの傾斜摺接面に交差する方向に延びるネジの捩れの向きとリードとの少なくとも一方が互いに異なる雌ネジ孔とが形成され、
上記調整ネジは、上記雌ネジ孔にねじ込み可能な雄ネジ部を両端部に備えていることを特徴とする請求項１から請求項３のうちいずれか一項に記載のツールブロック。
【発明の詳細な説明】
【技術分野】
【０００１】
本発明は、下顎部が形成されたブロック本体と、この下顎部の上面に下面が対向する上顎部が形成されて上記ブロック本体にネジ止めされる上顎部材とを備え、下顎部の上面と上顎部の下面との間に形成されるバイト取付座に板状のバイトを挟み込んで固定して工作機械の刃物台に取り付けられるツールブロックに関するものである。
【背景技術】
【０００２】
このようなツールブロックとして、例えば特許文献１には、両側の縦の縁、及び切削インサートを把持するための弾性的に押し得るあごを有する先頭部分と末尾部分と有するインサート保持器ブレードと共に使用する細長い工具ブロック(ツールブロック）において、ベース領域に隣接し、一体に形成された第１の縦向きのインサート保持器ブレード保持用要素を有する第１の主構成ブロックと、第２の縦向きインサート保持器ブレード保持用要素を有する第２の副構成ブロックとを備えたものが記載されている。
【０００３】
インサート保持器ブレード保持用要素にはインサート保持器ブレードの両側の縦の縁を受け入れるようにされた１対の縦向きの溝が形成されており、更に第１及び第２の構成ブロックを一緒にネジ結合しこれによりインサート保持器ブレードを工具ブロックに把持するためのネジ結合手段を備えている。第２の構成ブロックは、第２の構成ブロックの溝の外側の縦の境界を定めるように作用する縦の縁面が形成され、かつ端部分と中間部分とを弾性的に連結する比較的弾性的な連結部分により連結された端部分と中間部分とを有している。
【０００４】
細長い工具ブロック及びインサート保持器ブレードは、ネジ結合手段が、これを把持するように保持器ブレードの末尾部分に把持力を加えるために中間部分において構成ブロックを一緒にねじ結合させるための第１の手段と、切削インサートを把持するように保持器ブレードの先頭部分に局部的な把持力を加えるために端部分において構成ブロックを一緒にねじ結合させるための第２の手段とを有するようになっており、該端部分の縁面の中間範囲が、端部分の縁面と中間部分の残余部分に差し込まれており、該弾性結合部分、該差し込まれた中間範囲に隣接して位置する。
【０００５】
また、特許文献２には、板状の溝入れ工具を支持するツールブロックであって、溝入れ工具の板面と対向する対向面を有するブロック本体と、溝入れ工具を対向面側に押し付けて支持する支持部とを備え、ブロック本体は、対向面以外の面に設けられた供給口と、対向面にそれぞれ開口する複数の流出口と、内部を通過して前記供給口および複数の前記流出口を連通させるクーラント流路とを有する、クーラント流路付きのツールブロックが記載されている。
【先行技術文献】
【特許文献】
【０００６】
【特許文献１】特許第２９０２０８６号公報
【特許文献２】特開２０１８−１４９６５３号公報
【発明の概要】
【発明が解決しようとする課題】
【０００７】
ところで、このようなツールブロックによって固定した板状のバイトによって回転する被削材の突っ切り加工や溝入れ加工を行う場合、板状のバイトや、これに取り付けられる切削インサートの製造誤差等によって、被削材の回転軸線とバイトの切刃の刃先の高さ（芯高）とに大きな違いが生じると、切削加工に悪影響が及んでしまう。
【０００８】
例えば、突っ切り加工において刃先の高さが被削材の回転軸線よりも低すぎると、被削材に芯が残ってしまって切断することができなくなってしまう。また、刃先の高さが被削材の回転軸線よりも高すぎると、切刃の前逃げ面が被削材に当たってしまい、切削抵抗の増大を招くとともに、逃げ面摩耗の進行によって切刃の寿命が短縮されるおそれがある。
【０００９】
このため、バイトの切刃の刃先高さは被削材の回転軸線と大きな違いが生じないように調整しなければならないが、突っ切り加工や溝入れ加工に用いられる一般的な旋盤などの工作機械では、工作機械側の操作によって刃先の高さを調整することができるものは限られてしまう。このため、ツールブロックの下顎部とバイトとの間にシムを挟むなどして刃先の高さを調整しなければならず、調整量ごとに厚さの違うシムが必要となるとともに、刃先を下げる方向に調整することはできない。
【００１０】
本発明は、このような背景の下になされたもので、工作機械側で刃先の高さを調整することができなくても、ツールブロックによって刃先の高さを調整することによって切削加工に悪影響が及ぶのを抑えることが可能なツールブロックを提供することを目的としている。
【課題を解決するための手段】
【００１１】
上記課題を解決して、このような目的を達成するために、本発明は、下顎部が形成されたブロック本体と、上記下顎部の上面に下面が対向する上顎部が形成されて上記ブロック本体にネジ止めされる上顎部材とを備え、上記下顎部の上面と上記上顎部の下面との間に形成されるバイト取付座に板状のバイトを挟み込んで固定して工作機械の刃物台に取り付けられるツールブロックであって、上記下顎部の上面と上記上顎部の下面との間には上記バイト取付座の底面が設けられ、上記ブロック本体は、さらに調整ネジによってネジ止めされる複数のブロック部材によって形成され、上記調整ネジのねじ込み量によって上記バイトの切刃の刃先高さが調整可能とされていることを特徴とする。
【００１２】
このような構成のツールブロックでは、ブロック本体が複数のブロック部材によって形成されていて、これらのブロック部材をネジ止めする調整ネジのねじ込み量によって板状のバイトの高さを調整することにより、このバイトの切刃の刃先高さが調整される。このため、工作機械側に刃先の高さを調整する手段が備えられていなくても、刃先の高さを調整することができる。
【００１３】
このように調整ネジのねじ込み量によってバイトの切刃の刃先高さを調整するには、第１の構成として、上記複数のブロック部材は、上記ブロック本体と、上記バイト取付座の底面に沿って配設されて上記バイトの側面が当接可能な板状の調整部材とを含み、上記下顎部の上面と上記上顎部の下面とは上記バイト取付座の底面から離れるに従い互いに近づく傾斜面状とされ、上記ブロック本体と上記調整部材には、ネジの捩れの向きとリードとの少なくとも一方が互いに異なる雌ネジ孔が上記バイト取付座の底面に交差する方向に形成されていて、上記調整ネジは、上記雌ネジ孔にねじ込み可能な雄ネジ部を両端部に備えればよい。
【００１４】
このように構成されたツールブロックにおいては、調整ネジを回転させてねじ込み量を調整することにより、板状の調整部材がバイト取付座の底面に対して離接し、これによって板状のバイトもバイト取付座の底面に対して離接するので、上顎部と下顎部との間に挟み込まれて下面が上述のような傾斜面状とされた下顎部の上面に当接するバイトの高さが調整され、これに伴い切刃の刃先高さも調整することができる。
【００１５】
また、第２の構成としては、上記複数のブロック部材は、上記下顎部が形成された下顎部材と、上記バイト取付座の底面が形成された上記ブロック本体とを含み、上記調整ネジは、上記下顎部材に挿通されて上記ブロック本体にねじ込み可能とされていてもよい。調整ネジのブロック部材へのねじ込み量を調整することにより、下顎部材の下方への位置が調整され、これに伴い板状のバイトの下面が当接する下顎部の上面の高さも調整されるので、切刃の刃先高さも調整される。
【００１６】
さらに、第３の構成として、上記複数のブロック部材は、上記下顎部と上記バイト取付座の底面とが形成されたバイト取付部材と、工作機械の刃物台に取り付けられる刃物台取付部材とを含み、上記バイト取付部材と上記刃物台取付部材には、上記バイト取付座の底面から離れて刃物台取付部側に向かうに従い上記上顎部側または上記下顎部側に傾斜する互いに摺接可能な傾斜摺接面と、これらの傾斜摺接面に交差する方向に延びるネジの捩れの向きとリードとの少なくとも一方が互いに異なる雌ネジ孔とが形成され、上記調整ネジは、上記雌ネジ孔にねじ込み可能な雄ネジ部を両端部に備えていてもよい。
【００１７】
調整ネジのねじ込み量を調整することにより、僅かな範囲ではあるがバイト取付部材が刃物台取付部材に対して傾斜摺接面に沿って摺接しつつずれ動き、これによって板状のバイトの下面が当接するバイト取付部材の下顎部の上面の高さが調整されるので、切刃の刃先高さを調整することができる。なお、これら第１〜第３の構成は互いに組み合わせて適用することもできる。
【発明の効果】
【００１８】
以上説明したように、本発明によれば、ツールブロックにおいて板状のバイトの切刃の刃先高さを調整することができ、工作機械側に調整手段が備えられていなくても、切削加工への影響を抑えることが可能となる。
【図面の簡単な説明】
【００１９】
【図１】本発明の第１の実施形態を示す第１の斜視図である。
【図２】図１に示す実施形態の第２の斜視図である。
【図３】図１に示す実施形態のバイト取付座の底面に対向する方向から見た正面図である。
【図４】図１に示す実施形態のバイト取付座の底面に沿った方向から見た側面図である。
【図５】図３におけるＺＺ断面図である。
【図６】図１に示す実施形態に刃先交換式の板状のバイトを取り付けた状態を示す斜視図である。
【図７】図１に示す実施形態に刃先交換式の板状のバイトを取り付けた状態を示すバイト取付座の底面に対向する方向から見た正面図である。
【図８】図１に示す実施形態に刃先交換式の板状のバイトを取り付けた状態を示すバイト取付座の底面に沿った方向から見た側面図である。
【図９】本発明の第２の実施形態を示す第１の斜視図である。
【図１０】図９に示す実施形態の第２の斜視図である。
【図１１】図９に示す実施形態のバイト取付座の底面に対向する方向から見た正面図である。
【図１２】図９に示す実施形態のバイト取付座の底面に沿った方向から見た側面図である。
【図１３】図１１におけるＺＺ断面図である。
【図１４】本発明の第３の実施形態を示す第１の斜視図である。
【図１５】図１４に示す実施形態の第２の斜視図である。
【図１６】図１４に示す実施形態のバイト取付座の底面に対向する方向から見た正面図である。
【図１７】図１４に示す実施形態のバイト取付座の底面に沿った方向から見た側面図である。
【図１８】図１６におけるＺＺ断面図である。
【発明を実施するための形態】
【００２０】
図１〜図５は本発明のツールブロックの第１の実施形態を示すものであり、図６〜図８は、この第１の実施形態のツールブロックに刃先交換式の板状のバイトを取り付けた状態を示すものである。本実施形態のツールブロックは、ブロック本体１と、このブロック本体１に設けられた下顎部２Ａの上面２ａに下面３ａが対向する上顎部３Ａが形成されてブロック本体１にネジ止めされる上顎部材３とを備えている。
【００２１】
ブロック本体１は、鋼材等の金属材料により、水平方向（図３における左右方向）に延びる図４および図５に示すような断面Ｌ字状のバイト取付部１Ａと、このバイト取付部１Ａの背面に一体に形成された同じく水平方向に延びる断面方形の刃物台取付部１Ｂとを備えており、上顎部材３はバイト取付部１Ａの上部に取り付けられる。なお、バイト取付部１Ａの上部の刃物台取付部１Ｂ側を向く背面１ａは、刃物台取付部１Ｂ側に向かうに従い一定の傾斜角で下方に延びる傾斜面とされている。
【００２２】
下顎部２Ａは、本実施形態ではバイト取付部１Ａの下部に一体に形成されており、この下顎部２Ａの上記上面２ａは、本実施形態では刃物台取付部１Ｂとは反対側に向かうに従い僅かに水平に延びた後、一定の傾斜角で上方に向かうように延びている。なお、下顎部２Ａは、水平方向の長さがバイト取付部１Ａの上部よりも長く形成されて両端部がはみ出しており、バイト取付部１Ａの上部の側面と下顎部２Ａの側面との間は傾斜面で繋がれている。
【００２３】
また、上顎部材３は、ブロック本体１と同じく鋼材等の金属材料により、水平方向に延びる板状に形成されている。この上顎部材３の刃物台取付部１Ｂとは反対側の上顎部３Ａの上記下面３ａは、下顎部２Ａの上記上面２ａの刃物台取付部１Ｂとは反対側の部分がなす傾斜角と等しい一定の傾斜角で刃物台取付部１Ｂとは反対側に向かうに従い下方に延びるように傾斜している。さらに、上顎部材３の刃物台取付部１Ｂ側の下面３ｂは、バイト取付部１Ａの上部の上記背面１ａと等しい一定の傾斜角で刃物台取付部１Ｂ側に向かうに従い下方に延びる傾斜面とされている。
【００２４】
このような上顎部材３は、該上顎部材３を上下に貫通するように形成された段付きの取付孔３ｃに挿通された取付ボルト４が、ブロック本体１のバイト取付部１Ａの上面に取付孔３ｃと同軸となるように開口した図示されない取付ネジ孔にねじ込まれることにより、上記下面３ｂがバイト取付部１Ａの上記背面１ａに摺接しつつブロック本体１に取り付けられる。
【００２５】
なお、取付孔３ｃおよび取付ネジ孔は、垂直方向（図３〜図５における上下方向）に対して上記下面３ｂおよび背面１ａよりも緩やかな角度で下方に向かうに従い刃物台取付部１Ｂ側に向かうように傾斜している。本実施形態では、このような取付孔３ｃおよび取付ネジ孔が３つずつ水平方向に等間隔に形成されて、それぞれに取付ボルト４が挿通されてネジ止めされる。
【００２６】
こうして上顎部材３が取り付けられたブロック本体１の下顎部２Ａの上記上面２ａと、上顎部材３の上顎部３Ａの上記下面３ａとの間は、図６〜図８に示すように板状のバイト１１が取り付けられるバイト取付座５とされ、このバイト取付座５の刃物台取付部１Ｂとは反対側を向く底面５ａは垂直方向に延びている。従って、下顎部２Ａの上面２ａと上顎部３Ａの下面３ａとは、このバイト取付座５の底面５ａから離れるに従い互いに近づく傾斜面状とされている。
【００２７】
そして、ブロック本体１は、さらに調整ネジ６によってネジ止めされる複数のブロック部材によって形成され、この調整ネジ６のねじ込み量によってバイト１１の切刃１３ｄの刃先高さが調整可能とされている。本実施形態では、ブロック本体１は２つのブロック部材により形成され、このうちの１つのブロック部材は上記ブロック本体１自体であり、もう１つのブロック部材はブロック本体１の上記バイト取付座５の底面５ａに沿って配設されてバイト１１の側面が当接可能な鋼材等の金属材料により形成された板状の調整部材７である。
【００２８】
ブロック本体１には、上記取付ネジ孔を避けるようにして、水平方向に隣接する取付ネジ孔の間に１つずつの合計２つの雌ネジ孔５ｂが、バイト取付座５の底面５ａに垂直に交差する方向に形成されて底面５ａに開口している。また、調整部材７にも、これらの雌ネジ孔５ｂと同軸となる２つの雌ネジ孔７ａが、調整部材７を貫通するように形成されている。
【００２９】
ただし、これらの雌ネジ孔５ｂ、７ａは、ネジの捩れの向きとリードとの少なくとも一方が互いに異なるように形成されており、本実施形態では雌ネジ孔５ｂは右ネジとされるともに雌ネジ孔７ａは左ネジとされて、雌ネジ孔５ｂ、７ａの捩れの向きが逆向きで異なるように形成されている。そして、調整ネジ６は、これらの雌ネジ孔５ｂ、７ａにねじ込み可能な雄ネジ部６ａ、６ｂを両端部に備えており、従ってこれらの雄ネジ部６ａ、６ｂも本実施形態ではネジの向きが逆向きに形成されている。なお、調整部材７の雌ネジ孔７ａにねじ込まれる調整ネジ６の雄ネジ部６ｂは、調整部材７の刃物台取付部１Ｂとは反対側を向く側面７ｂから突出しない大きさとされている。
【００３０】
このようなツールブロックに固定されるバイト１１は、本実施形態では刃先交換式バイトであって、板状のバイト本体１１Ａと、このバイト本体１１Ａの長手方向の端部に形成されたインサート取付座１２に着脱可能に取り付けられる切削インサート１３とを備えている。バイト本体１１Ａは鋼材等の弾性変形可能な金属材料により形成された略長方形の板状であって、その上下の端面には断面凸Ｖ字状の当接部１１ａが形成されている。これらの当接部１１ａの断面凸Ｖ字をそれぞれ形成する２つの傾斜面の垂直方向に対する傾斜角は、ツールブロックの下顎部２Ａの上面２ａと上顎部３Ａの下面３ａの垂直方向に対する傾斜角と等しくされている。
【００３１】
また、インサート取付座１２は、バイト本体１１Ａがなす長方形の角部にバイト本体１１Ａを貫通する凹溝状に形成されていて、本実施形態ではこの長方形の１つの対角線上に位置する２つの角部に形成されている。これらのインサート取付座１２は、バイト本体１１Ａがツールブロックの上記バイト取付座５に取り付けられた状態で、切削に使用される切削インサート１３が取り付けられるインサート取付座（図７における左側のインサート取付座）１２が上向きに開口するように形成されている。
【００３２】
各インサート取付座１２には、互いに対向して断面凸Ｖ字状の着座面１２ａが形成された取付座下顎部１２ｂと押圧面１２ｃが形成された取付座上顎部１２ｄと、インサート取付座１２の奥側（図７における左側のインサート取付座の右側）においてこれら取付座下顎部１２ｂと取付座上顎部１２ｄとの間に延びる当接面１２ｅとが形成されるとともに、この当接面１２ｅと取付座上顎部１２ｄの押圧面１２ｃとの間からは、さらにインサート取付座１２の奥側に延びるスリット１２ｆが形成されている。
【００３３】
また、このスリット１２ｆには、スリット１２ｆが延びる方向に長軸を有する長円形または楕円形の孔部１２ｇが形成されるとともに、切削に使用されるインサート取付座（図７における左側のインサート取付座）１２の下方には、この孔部１２ｇを略中心とした円弧状の貫通溝１２ｈが形成されている。ただし、この貫通溝１２ｈの先端部（図７において左側の貫通溝１２ｈの左側の端部）の下面と孔部１２ｇの中心との間隔は、貫通溝１２ｈの後端部（図７において左側の貫通溝１２ｈの右側の端部）の下面と孔部１２ｇの中心との間隔よりも小さくされている。
【００３４】
このようなインサート取付座１２に取り付けられる切削インサート１３は、超硬合金等のバイト本体１１Ａよりも硬度の高い材料により、図７に示すように略平行四辺形の板状に形成されており、その上下面にはインサート取付座１２の上記着座面１２ａと押圧面１２ｃの断面がなす凸Ｖ字に密着可能な断面凹Ｖ字状の取付面１３ａ、１３ｂがそれぞれ形成されるとともに、インサート取付座１２の奥側に向けられる後端面１３ｃは上記当接面１２ｅに当接可能とされている。そして、この後端面１３ｃとは反対側の切削インサート１３の鋭角角部に切刃１３ｄが形成されている。
【００３５】
このような切削インサート１３は、軸状に延びるレンチ本体の側面に同方向に突出する２つの円柱状のピンが設けられた図示されないレンチを用いて、インサート取付座１２の取付座上顎部１２ｄが取付座下顎部１２ｂから離れるようにバイト本体１１Ａを弾性変形させた上で、こうして離れた取付座下顎部１２ｂの着座面１２ａと取付座上顎部１２ｄの押圧面１２ｃとの間に切削インサート１３を挿入して上記後端面１３ｃを当接面１２ｅに当接させ、上記レンチによって取付座上顎部１２ｄを戻して切削インサート１３を着座面１２ａと押圧面１２ｃとの間で押圧することにより、インサート取付座１２に着脱可能に取り付けられる。
【００３６】
ここで、バイト本体１１Ａが弾性変形していない状態では、上記レンチの２つのピンのうち一方がインサート取付座１２の孔部１２ｇに挿入可能とされるとともに、他方は貫通溝１２ｈの後端部に挿入可能とされている。そして、こうして２つのピンが孔部１２ｇと貫通溝１２ｈの後端部に挿入された状態から、孔部１２ｇに挿入されたピンを中心にレンチ本体を貫通溝１２ｈの先端側に回転させると、貫通溝１２ｈの先端部の下面は後端部の下面よりも孔部１２ｇの中心との間隔よりも小さいので、孔部１２ｇに挿入されたピンによって取付座上顎部１２ｄが上方に開くようにしてバイト本体１１Ａが弾性変形させられる。
【００３７】
こうして切削インサート１３がインサート取付座１２に取り付けられたバイト１１は、取付ボルト４が緩められた状態で、ブロック本体１の刃物台取付部１Ｂ側を向くバイト本体１１Ａの側面を、調整部材７の刃物台取付部１Ｂとは反対側を向く側面７ｂに密着させるとともに、バイト本体１１Ａの下側の端面の当接部１１ａにおける２つの傾斜面のうち刃物台取付部１Ｂとは反対側を向く傾斜面を下顎部２Ａの上面２ａに当接させて、バイト取付座５に着座させられる。
【００３８】
次いで、取付ボルト４をねじ込むことにより、上記下面３ｂをバイト取付部１Ａの上部の上記背面１ａに摺接させつつ上顎部材３をバイト本体１１Ａに接近させ、上顎部３Ａの下面３ａをバイト本体１１Ａの上側の端面の当接部１１ａにおける２つの傾斜面のうち刃物台取付部１Ｂとは反対側を向く傾斜面に当接させてバイト本体１１Ａを下顎部２Ａ側と調整部材７側に押圧することにより、バイト１１は下顎部２Ａの上面２ａと上顎部３Ａの下面３ａとの間に形成されるバイト取付座５に挟み込まれて固定される。さらに、このようにバイト１１が固定されたツールブロックは、上記刃物台取付部１Ｂが旋盤等の工作機械の刃物台に取り付けられ、切削インサート１３の切刃１３ｄにより、回転する被削材の溝入れ加工や突っ切り加工を行う。
【００３９】
このような第１の実施形態のツールブロックによって、バイト１１の切刃１３ｄの垂直方向における刃先高さを調整するには、バイト１１をバイト取付座５に着座させる前に、調整ネジ６を回転させてねじ込み量を調整する。ブロック本体１のバイト取付座５の底面５ａと調整部材７には、互いにネジの捩れの向きが異なる逆向きの雌ネジ孔５ｂ、７ａが形成されるとともに、調整ネジ６の両端部の雄ネジ部６ａ、６ｂは、これらの雌ネジ孔５ｂ、７ａにそれぞれねじ込み可能とされているので、調整ネジ６のねじ込み量を調整することにより、調整部材７はバイト取付座５の底面５ａに対して離接する。
【００４０】
そして、これに伴い、調整部材７の側面７ｂに密着するバイト本体１１Ａの側面の位置が調整されるとともに、下顎部２Ａの上面２ａに当接するバイト本体１１Ａの下側の端面の当接部１１ａにおける刃物台取付部１Ｂとは反対側を向く傾斜面の位置も、この傾斜した上面２ａに沿って調整される。従って、これによりバイト１１の垂直方向の高さが調整され、切刃１３ｄの刃先高さが調整される。
【００４１】
このように、上記構成のツールブロックによれば、ブロック本体１が複数のブロック部材（本実施形態ではブロック本体１と調整部材７）によって形成されて、これらのブロック部材をネジ止めする調整ネジ６のねじ込み量によって板状のバイト１１の高さを調整することにより、このバイト１１の切刃１３ｄの刃先高さが調整される。このため、工作機械側に刃先の高さを調整する手段が備えられていなかったり、シムなどを用いたりすることがなくても、切刃１３ｄの刃先の高さを調整することができる。
【００４２】
従って、突っ切り加工において被削材に芯が残ってしまって切断することができなくなったり、切刃１３ｄの前逃げ面が被削材に当たって切削抵抗の増大を招いたり、あるいは逃げ面摩耗の進行によって切刃１３ｄの寿命が短縮されたりするのを防ぐことができる。このため、安定した円滑な突っ切り加工や溝入れ加工を長期に亙って行うことが可能となる。
【００４３】
なお、この第１の実施形態では、ブロック本体１の雌ネジ孔５ｂと調整部材７の雌ネジ孔７ａとが、ネジの捩れの向きが逆向きとされていて、調整部材７は、調整ネジ６を１回転させるごとにこれらの雌ネジ孔５ｂ、７ａのピッチの合計分だけバイト取付座５の底面５ａに対して離接する。ただし、このように雌ネジ孔５ｂ、７ａのネジの捩れの向きを逆にして互いに異なるようにするほかに、雌ネジ孔５ｂ、７ａのネジの捩れのピッチを異なる大きさとしてもよく、またネジの捩れの向きとネジの捩れのピッチとの双方を異なるものとしてもよい。
【００４４】
次に、図９〜図１３は、本発明の第２の実施形態を示すものであり、第１の実施形態と共通する部分には同一の符号を配してある。本実施形態においても、ブロック本体１は、バイト取付部１Ａと刃物台取付部１Ｂとが一体に形成されて構成されており、また上顎部材３の構成も第１の実施形態と同様である。
【００４５】
ただし、第１の実施形態においては、下顎部２Ａがブロック本体１と一体に形成されていたのに対して、この第２の実施形態においては、図１２および図１３に示すように下顎部２１Ａがブロック本体１とは別体の下顎部材２１に形成されている。すなわち、本実施形態におけるブロック本体１を形成する複数のブロック部材は、ブロック本体１自体とこの下顎部材２１である。
【００４６】
ここで、本実施形態におけるブロック本体１のバイト取付部１Ａの下面には、上顎部材３をブロック本体１に取り付ける取付ボルト４がねじ込まれる３つの上記取付ネジ孔を避けるようにして、水平方向（図１１における左右方向）に隣接する取付ネジ孔の間に１つずつの合計２つの雌ネジ孔１ｂが、バイト取付座５の底面５ａに平行な垂直方向（図１１〜図１３における上下方向）に延びるように形成されて上記下面に開口している。なお、この第２の実施形態では、バイト取付座５の底面５ａに板状の調整部材７は配設されておらず、雌ネジ孔５ｂも形成されてはいない。
【００４７】
また、上記下顎部材２１は、上顎部材３と同じく鋼材等の金属材料により、ブロック本体１や上顎部材３と等しい長さで水平方向に延びる板状に形成されている。この下顎部材２１の刃物台取付部１Ｂとは反対側には上記下顎部２１Ａが形成され、この下顎部２１Ａの上面２１ａは、第１の実施形態の下顎部２Ａの上記上面２ａと同じく、上顎部３Ａの下面３ａがなす傾斜角と等しい一定の傾斜角で刃物台取付部１Ｂとは反対側に向かうに従い上方に延びるように傾斜している。
【００４８】
さらに、この下顎部材２１には、その水平方向の両端をブロック本体１の両端と揃えた状態で、ブロック本体１の２つの上記雌ネジ孔１ｂとそれぞれ同軸となるように、図１３に示すような下部が上部よりも大径となる２つの段付き孔２１ｂが形成されている。そして、下顎部材２１は、これらの段付き孔２１ｂに挿通された調整ネジ２２としての取付ボルトが雌ネジ孔１ｂにねじ込まれることにより、垂直方向の位置が調整されてブロック本体１に取り付けられる。
【００４９】
従って、このような第２の実施形態において、バイト１１の切刃１３ｄの垂直方向における刃先高さを調整するには、バイト１１をバイト取付座５に着座させる前に、調整ネジ２２のねじ込み量を調整して下顎部材２１の下方への位置を調整し、下顎部２１Ａの上面２１ａの位置を、この上面２１ａに当接するバイト本体１１Ａの下側の端面の当接部１１ａにおける刃物台取付部１Ｂとは反対側を向く傾斜面の位置が、切刃１３ｄの刃先高さが所定の高さとなるように調整すればよい。
【００５０】
これにより、上顎部材３に挿通された取付ボルト４をブロック本体１の上記取付ネジ孔にねじ込むことにより、下顎部２１Ａの上面２１ａと上顎部３Ａの下面３ａとの間に形成されるバイト取付座５に板状のバイト１１を挟み込んで固定した状態で、切刃１３ｄの刃先高さが上述のように調整される。なお、本実施形態では、バイト本体１１Ａの刃物台取付部１Ｂ側を向く側面は、バイト取付座５の底面５ａに直接密着する。
【００５１】
このため、上記第２の実施形態においても、ブロック本体１を形成する複数のブロック部材（ブロック本体１と下顎部材２１）をネジ止めする調整ネジ２２のねじ込み量によって板状のバイト１１の高さを調整することにより、このバイト１１の切刃１３ｄの刃先高さを調整することができる。従って、第１の実施形態と同じく、工作機械側に刃先の高さを調整する手段が備えられていなかったり、シムなどを用いたりすることがなくても、切刃１３ｄの刃先の高さを調整することができる。
【００５２】
さらに、図１４〜図１８は、本発明の第３の実施形態を示すものであり、第１の実施形態と共通する部分には同一の符号を配してある。本実施形態において、ブロック本体１を形成する複数のブロック部材は、上記下顎部２Ａと上記バイト取付座５の底面５ａとが形成されたバイト取付部材３１と、工作機械の刃物台に取り付けられる刃物台取付部材３２とされている。
【００５３】
これらバイト取付部材３１と刃物台取付部材３２には、バイト取付座５の底面５ａから刃物台取付部１Ｂ側に離れるに従い、本実施形態では上顎部３Ａ側に向けて傾斜する互いに摺接可能な傾斜摺接面３１ａ、３２ａが、バイト取付部材３１のバイト取付座５とは反対側の背面上部と刃物台取付部材３２のバイト取付部材３１側を向く先端面の上部とに形成されている。
【００５４】
また、バイト取付部材３１の背面の傾斜摺接面３１ａよりも下方の下部面３１ｂと、この下部面３１ｂに対向する刃物台取付部材３２の先端面の傾斜摺接面３２ａよりも下方の下部面３２ｂとは、図１７および図１８に示すように互いに僅かな間隔をあけて対向して垂直方向（図１６〜図１８における上下方向）に延びている。これらの下部面３１ｂ、３２ｂには、傾斜摺接面３１ａ、３２ａを摺接させた状態で同軸となるように、雌ネジ孔３１ｃ、３２ｃがそれぞれ開口している。
【００５５】
従って、これらの雌ネジ孔３１ｃ、３２ｃは、傾斜摺接面３１ａ、３２ａに対して交差する方向に延びることになる。そして、これらの雌ネジ孔３１ｃ、３２ｃは、ネジの捩れの向きとリードとの少なくとも一方が互いに異なるように形成されるとともに、これら雌ネジ孔３１ｃ、３２ｃには、該雌ネジ孔３１ｃ、３２ｃにそれぞれねじ込み可能な雄ネジ部３３ａ、３３ｂが両端部に形成された調整ネジ３３がねじ込まれている。
【００５６】
なお、バイト取付部材３１の雌ネジ孔３１ｃはバイト取付座５の底面５ａに開口するとともに、刃物台取付部材３２の雌ネジ孔３２ｃは刃物台取付部材３２のバイト取付部材３１とは反対側の背面に開口している。また、この第３の実施形態においても、上顎部材３の構成は第１、第２の実施形態と同様である。さらに、第２の実施形態と同様にバイト取付座５の底面５ａに板状の調整部材７は配設されていないとともに、この調整部材７を取り付けるための調整ネジ６がねじ込まれる雌ネジ孔５ｂも開口してはおらず、バイト１１のバイト本体１１Ａの刃物台取付部１Ｂ側を向く側面は底面５ａに直接密着する。
【００５７】
このように構成された第３の実施形態のツールブロックにおいて、バイト１１の切刃１３ｄの刃先高さを調整するには、バイト取付座５にバイト１１が取り付けられていない状態で、調整ネジ３３を回転させてバイト取付部材３１を刃物台取付部材３２に対して離接させる。
【００５８】
例えば、図１８に示すように雌ネジ孔３１ｃ、３２ｃが同軸線上にあって傾斜摺接面３１ａ、３２ａ同士が摺接している状態から、バイト取付部材３１が刃物台取付部材３２側に接近するように調整ネジ３３のねじ込み量を調整すると、調整ネジ３３が僅かに弾性変形しつつバイト取付部材３１が傾斜摺接面３１ａ、３２ａの傾斜に沿って上方に移動するので、バイト取付座５に取り付けられるバイト１１の切刃１３ｄの刃先高さを調整することができる。また、こうしてバイト取付部材３１が上方に移動した状態からバイト取付部材３１が刃物台取付部材３２から離れるように調整ネジ３３のねじ込み量を調整すると、バイト取付部材３１は下方に移動して切刃１３ｄの刃先高さが調整される。
【００５９】
従って、この第３の実施形態においても、調整ネジ３３が弾性変形する僅かな範囲内ではあるが、切刃１３ｄの刃先高さを調整することができる。なお、第１〜第３の実施形態では、ブロック本体１がそれぞれ２つのブロック部材によって形成されているが、これら第１〜第３の実施形態を適宜組み合わせるなどして、ブロック本体１を３つ以上のブロック部材によって形成してもよい。
【符号の説明】
【００６０】
１  ブロック本体（ブロック部材）
１Ａ  バイト取付部
１Ｂ  刃物台取付部
２Ａ、２１Ａ  下顎部
２ａ、２１ａ  下顎部２Ａ、２１Ａの上面
３  上顎部材
３Ａ  上顎部
３ａ  上顎部３Ａの下面
４  取付ボルト
５  バイト取付座
５ａ  バイト取付座５の底面
５ｂ  ブロック本体１の雌ネジ孔
６、２２、３３  調整ネジ
６ａ、６ｂ、３３ａ、３３ｂ  調整ネジ６、３３の雄ネジ部
７  調整部材
７ａ  調整部材７の雌ネジ孔
１１  バイト
１１Ａ  バイト本体
１３  切削インサート
１３ｄ  切削インサート１３の切刃
２１  下顎部材
３１  バイト取付部材
３１ａ  バイト取付部材３１の傾斜摺接面
３１ｃ  バイト取付部材３１の雌ネジ孔
３２  刃物台取付部材
３２ａ  刃物台取付部材３２の傾斜摺接面
３２ｃ  刃物台取付部材３２の雌ネジ孔
【図１】
2020104225.tif 000003
【図２】
2020104225.tif 000004
【図３】
2020104225.tif 000005
【図４】
2020104225.tif 000006
【図５】
2020104225.tif 000007
【図６】
2020104225.tif 000008
【図７】
2020104225.tif 000009
【図８】
2020104225.tif 000010
【図９】
2020104225.tif 000011
【図１０】
2020104225.tif 000012
【図１１】
2020104225.tif 000013
【図１２】
2020104225.tif 000014
【図１３】
2020104225.tif 000015
【図１４】
2020104225.tif 000016
【図１５】
2020104225.tif 000017
【図１６】
2020104225.tif 000018
【図１７】
2020104225.tif 000019
【図１８】
2020104225.tif 000020